(57)【要約】  【課題】  中空構造を有する鉄筋コンクリート製の柱状構造物を構築する工程において、配力鉄筋を配置する際の作業効率を高める。  【解決手段】  橋脚の傾斜壁部２０Ｂの施工済みコンクリート３２の上面における外周面近傍に、複数の主鉄筋３４、３８を２列で配置する一方、一施工区間分の本数の配力鉄筋５２を、施工完了時の配置と略同様の配置で吊込み治具１００に取り付ける。その後、この吊込み治具１００を主鉄筋３４と主鉄筋３８との間に吊り込み、この吊込み治具１００から各配力鉄筋５２を取り外して所定位置に配置する。これにより、吊込み完了時点で、一施工区間分の本数の配力鉄筋５２が各々その配置予定位置の近傍に一括して配置されるようにし、各配力鉄筋５２の配置作業を容易に行えるようにする。また、吊込み治具１００に配力鉄筋５２を取り付ける作業も、橋脚付近の地面等において効率良く行えるようにする。  【選択図】          図４
2006057317.tif 000002
【特許請求の範囲】
【請求項１】
中空構造を有する鉄筋コンクリート製の柱状構造物であって、周壁の外周面近傍に複数の主鉄筋が該周壁の肉厚方向に所定間隔をおいて２列で配置されるとともに、上記各列の間に上記周壁に沿って水平方向に延びる複数の配力鉄筋が上下方向に所定間隔をおいて配置されてなる柱状構造物を、所定高の施工区間毎に配筋およびコンクリート打設を行うことにより構築する、柱状構造物の構築方法において、
上記柱状構造物における施工済みコンクリートの上面に、上記複数の主鉄筋を配置する工程と、
所定本数の上記配力鉄筋を、施工完了時の配置と略同様の配置で、所定の吊込み治具に取り付ける工程と、
上記所定本数の配力鉄筋が取り付けられた吊込み治具を、上記各列の間に吊り込む工程と、
この吊込みが完了した吊込み治具から上記各配力鉄筋を取り外して所定位置に配置する工程と、を含むことを特徴とする柱状構造物の構築方法。
【請求項２】
上記吊込み治具に対する上記各配力鉄筋の取付けを、該吊込み治具を横向きに配置した状態で行う、ことを特徴とする請求項１記載の柱状構造物の構築方法。
【請求項３】
上記吊込み治具として、鉄筋支持部を有する複数の支持鋼材が上下方向に直列に配置された状態で互いにピン結合されてなる複数の多関節鋼材を用いる、ことを特徴とする請求項２記載の柱状構造物の構築方法。
【請求項４】
上記吊込み治具として、上記複数の多関節鋼材が水平方向に所定間隔をおいて共通の吊り梁に吊下げ支持されてなる治具を用いる、ことを特徴とする請求項３記載の柱状構造物の構築方法。
【請求項５】
上記各多関節鋼材として、側端面に斜め上方へ向かって開放する略Ｕ字状の凹部が形成された複数の山形鋼を背中合わせで交互に配置してなる多関節鋼材を用いる、ことを特徴とする請求項３または４記載の柱状構造物の構築方法。
【請求項６】
所定間隔をおいて２列で配置された略鉛直方向に延びる複数の鉄筋における上記各列の間に、水平方向に延びる複数の鉄筋を吊り込むための吊込み治具であって、
鉄筋支持部を有する複数の支持鋼材が上下方向に直列に配置された状態で互いにピン結合されてなる複数の多関節鋼材と、
これら複数の多関節鋼材を水平方向に所定間隔をおいて吊下げ支持する吊り梁と、を備えてなることを特徴とする吊込み治具。
【請求項７】
上記各多関節鋼材を構成する複数の支持鋼材が、背中合わせで交互に配置された複数の山形鋼からなり、
上記鉄筋支持部が、上記山形鋼の側端面に斜め上方へ向かって開放するように形成された略Ｕ字状の凹部からなる、ことを特徴とする請求項６記載の吊込み治具。
【発明の詳細な説明】
【技術分野】
【０００１】
本願発明は、中空構造を有する鉄筋コンクリート製の柱状構造物を構築する方法および吊込み治具に関するものである。
【背景技術】
【０００２】
一般に、鉄筋コンクリート製の橋脚等のように、コンクリートの表面近傍に複数の主鉄筋が配置されてなる柱状構造物においては、例えば「特許文献１」に記載されているように、所定高の施工区間毎に配筋およびコンクリート打設を行うことにより、その構築が行われるようになっている。
【０００３】
また、この「特許文献１」に記載された橋脚のように中空構造を有する鉄筋コンクリート製の柱状構造物においては、その周壁の外周面近傍および内周面近傍に複数の主鉄筋が配置された構成となっているが、その際、周壁の外周面近傍に配置される主鉄筋については、該周壁の肉厚方向に所定間隔をおいて２列で配置されることもある。
【０００４】
【特許文献１】特開平１０−８２０１９号公報
【発明の開示】
【発明が解決しようとする課題】
【０００５】
このように周壁の外周面近傍に複数の主鉄筋が２列で配置された柱状構造物においては、これら各列の間に、周壁に沿って水平方向に延びる複数の配力鉄筋が上下方向に所定間隔をおいて配置されることが多い。
【０００６】
このような場合には、上記各列の間の非常に狭い空間に配力鉄筋を配置する必要があるため、配力鉄筋を上記空間に１本ずつ吊り下げることにより、あるいは、配力鉄筋をその軸方向に沿って上記空間に差し込むことにより、その配置を行うことを余儀なくされている。
【０００７】
しかしながら、前者の方法では作業性が非常に悪く、また、後者の方法でも、柱状構造物の周囲に設置された組立用足場の幅は限られているので、長尺の配力鉄筋をその軸方向に沿って上記空間に差し込む作業を行うことは容易でない、という問題がある。
【０００８】
本願発明は、このような事情に鑑みてなされたものであって、中空構造を有する鉄筋コンクリート製の柱状構造物を構築する工程において、配力鉄筋を配置する際の作業効率を高めることができる柱状構造物の構築方法を提供することを目的とするものである。
【課題を解決するための手段】
【０００９】
本願発明は、所定の吊込み治具を用いることにより、上記目的達成を図るようにしたものである。
【００１０】
すなわち、本願発明に係る柱状構造物の構築方法は、
中空構造を有する鉄筋コンクリート製の柱状構造物であって、周壁の外周面近傍に複数の主鉄筋が該周壁の肉厚方向に所定間隔をおいて２列で配置されるとともに、上記各列の間に上記周壁に沿って水平方向に延びる複数の配力鉄筋が上下方向に所定間隔をおいて配置されてなる柱状構造物を、所定高の施工区間毎に配筋およびコンクリート打設を行うことにより構築する、柱状構造物の構築方法において、
上記柱状構造物における施工済みコンクリートの上面に、上記複数の主鉄筋を配置する工程と、
所定本数の上記配力鉄筋を、施工完了時の配置と略同様の配置で、所定の吊込み治具に取り付ける工程と、
上記所定本数の配力鉄筋が取り付けられた吊込み治具を、上記各列の間に吊り込む工程と、
この吊込みが完了した吊込み治具から上記各配力鉄筋を取り外して所定位置に配置する工程と、を含むことを特徴とするものである。
【００１１】
上記「柱状構造物」は、中空構造を有する鉄筋コンクリート製のものであれば、その具体的な形状は特に限定されるものではなく、例えばその水平断面形状としては、矩形、多角形、円形等が採用可能である。また、この「柱状構造物」の種類は特に限定されるものではなく、例えば、橋梁の橋脚や主塔あるいはタワー等が採用可能である。
【００１２】
上記「所定本数」の具体的な本数は特に限定されるものではなく、例えば、一施工区間分の本数あるいは一施工区間分の本数よりもやや少ない本数等に設定することが可能である。
【００１３】
上記「吊込み治具」は、複数の配力鉄筋を施工完了時の配置と略同様の配置で取付可能な構造を有するものであれば、その具体的な構成は特に限定されるものではない。ここで「施工完了時の配置と略同様の配置」とは、配力鉄筋相互間における上下方向の間隔が施工完了時の間隔と略同じ値に設定されていることを意味するものである。
【発明の効果】
【００１４】
上記構成に示すように、本願発明に係る柱状構造物の構築方法は、施工済みコンクリートの上面における周壁の外周面近傍に、複数の主鉄筋を周壁の肉厚方向に所定間隔をおいて２列で配置する一方、これら各列の間に配置されるべき所定本数の配力鉄筋を、施工完了時の配置と略同様の配置で所定の吊込み治具に取り付けた後、この吊込み治具を上記各列の間に吊り込み、この吊込み治具から各配力鉄筋を取り外して所定位置に配置するようになっているので、次のような作用効果を得ることができる。
【００１５】
すなわち、吊込み治具を上記各列の間に吊り込んだ時点で、所定本数の配力鉄筋は各々その配置予定位置の近傍に一括して配置されることとなるので、この吊込み治具から各配力鉄筋を取り外して所定位置に配置する作業は、極めて簡単にこれを行うことができる。しかも、この配置作業は、複数箇所において同時に行うことも可能である。
【００１６】
また、これら所定本数の配力鉄筋を吊込み治具に取り付ける作業については、これを柱状構造物付近の地面等において行うことができるので、その取付作業を効率良く行うことができる。
【００１７】
このように本願発明によれば、中空構造を有する鉄筋コンクリート製の柱状構造物を構築する工程において、配力鉄筋を配置する際の作業効率を高めることができる。しかも、吊込み治具は次の施工区間での施工にも転用することができるので、経済性を十分に確保した上で上記作用効果を得ることができる。
【００１８】
上記構成において、吊込み治具に対する各配力鉄筋の取付けを、該吊込み治具を横向きに配置した状態で行うようにすれば、その取付けを組立用足場を用いることなく直接行うことができ、これにより取付作業を一層効率良く行うことができる。
【００１９】
上記「吊込み治具」の具体的な構成が特に限定されないことは上述したとおりであるが、この吊込み治具として、鉄筋支持部を有する複数の支持鋼材が上下方向に直列に配置された状態で互いにピン結合されてなる複数の多関節鋼材を用いるようにすれば、次のような作用効果を得ることができる。
【００２０】
すなわち、上記所定本数の配力鉄筋の各々を、複数の多関節鋼材において互いに同じ高さ位置に固定された支持鋼材の鉄筋支持部に架け渡すことにより、これら各配力鉄筋を所定の高さ位置において水平方向に延びるように位置決めした状態で吊込み治具に取り付けることができる。したがって、各多関節鋼材における各支持鋼材の鉄筋支持部の位置を、配力鉄筋の施工完了時における高さ配置に対応した位置に設定しておけば、吊込み治具から各配力鉄筋を取り外して所定位置に配置する作業を容易に行うことができる。また、各配力鉄筋を跨ぐようにして複数の幅止め鉄筋を配置した場合においても、吊込み治具を吊り上げることにより、これら幅止め鉄筋との干渉を生じることなく、その撤去を容易に行うことができる。
【００２１】
この場合において、吊込み治具は、各々独立した複数の多関節鋼材の集合体として用いるようにしてもよいが、この吊込み治具として、複数の多関節鋼材が水平方向に所定間隔をおいて共通の吊り梁に吊下げ支持されてなる治具を用いるようにすれば、複数の多関節鋼材を所定の位置関係に維持した状態で一括して吊り下げることができ、これにより複数の多関節鋼材の吊込みを容易に行うことができる。
【００２２】
また、上記各多関節鋼材として、側端面に斜め上方へ向かって開放する略Ｕ字状の凹部が形成された複数の山形鋼を背中合わせで交互に配置してなる多関節鋼材を用いるようにすれば、簡単かつコンパクトな構成で、各配力鉄筋の支持を確実に行うことができる。
【００２３】
ところで、上記「吊込み治具」は、上述したような中空構造を有する鉄筋コンクリート製の柱状構造物を構築する際の配力鉄筋の吊込みに適しているが、これ以外にも、所定間隔をおいて２列で配置された略鉛直方向に延びる複数の鉄筋における上記各列の間に、水平方向に延びる複数の鉄筋を吊り込む場合一般において、これを使用することが可能である。
【発明を実施するための最良の形態】
【００２４】
以下、図面を用いて、本願発明の実施の形態について説明する。
【００２５】
図１は、本願発明の一実施形態に係る柱状構造物の構築方法の対象となる橋脚２０を備えた橋梁１０を示す図であって、同図（ａ）が側面図、同図（ｂ）がそのｂ方向矢視図である。
【００２６】
同図に示すように、この橋梁１０はエクストラドーズド橋であって、その橋脚２０は、大口径深礎２２の上面から橋桁２４まで延びる高さ１００ｍ程度の柱状構造物として構築されている。そして、この橋脚２０の上端部には、１対の主塔２６が橋桁２４を挟むようにして構築されており、これら各主塔２６と橋桁２４との間には複数の斜材２８が緊張配置されている。
【００２７】
橋脚２０は、断面矩形状の中空構造を有する鉄筋コンクリート製の構造物であって、橋軸と直交する鉛直面内においては１２ｍ程度の一定幅で形成されているが、橋軸を含む鉛直面内においては上方へ向けて１２ｍから５ｍまで徐々に幅が狭まるようにテーパ状に形成されている。
【００２８】
図２は、橋脚２０のコンクリート内部における配筋構造を示す、図１（ｂ）のII-II 線断面詳細図であり、図３は、図２のIII-III 線断面詳細図である。
【００２９】
これらの図に示すように、この橋脚２０は、１対の鉛直壁部２０Ａと１対の傾斜壁部２０Ｂとにより上記矩形状の箱形断面を構成している。これら各鉛直壁部２０Ａおよび各傾斜壁部２０Ｂの幅は、いずれも１．２ｍ程度の値に設定されている。そして、この橋脚２０におけるコンクリート３２の外周面３２ａおよび内周面３２ｂの近傍には、複数の主鉄筋３４、３６が周方向に所定間隔をおいて配置されている。その際、コンクリート３２のかぶり厚は１５０ｍｍ程度の値に設定されている。また、各傾斜壁部２０Ｂにおける外周面３２ａの近傍には、主鉄筋３４に対して１５０ｍｍ程度内側に位置するようにして、複数の主鉄筋３８が配置されている。
【００３０】
これら３種類の主鉄筋３４、３６、３８は、いずれも長さ６ｍ程度の異形鉄筋で構成されている。その際、主鉄筋３４、３８としては、大径の異形鉄筋（例えばＤ５１）が用いられており、一方、主鉄筋３６としては、やや大径の異形鉄筋（例えばＤ３８）が用いられている。また、主鉄筋３４は、１５０ｍｍ程度の比較的狭いピッチで配置されており、一方、主鉄筋３６、３８は、３００ｍｍ程度の比較的広いピッチで配置されている。これら主鉄筋３４、３６、３８は、各傾斜壁部２０Ｂにおいては、鉛直方向に対して傾斜壁部２０Ｂの傾斜角度分だけ傾斜した方向に延びるように配置されている。
【００３１】
そして、この橋脚２０においては、主鉄筋３４を囲むようにして複数の帯鉄筋４０が配置されており、また、主鉄筋３６の内周側には該主鉄筋３６に沿って複数の帯鉄筋４２が配置されており、これら帯鉄筋４０、４２を跨ぐようにして複数の幅止め鉄筋４４が配置されている。さらに、各鉛直壁部２０Ａには、上記複数の帯鉄筋４０の１５０ｍｍ程度内側に、該鉛直壁部２０Ａに沿って水平方向に延びる複数の配力鉄筋４６が配置されるとともに、上記複数の帯鉄筋４２の１５０ｍｍ程度内側（すなわち外周側）に、該鉛直壁部２０Ａに沿って水平方向に延びる複数の配力鉄筋４８が配置されている。一方、各傾斜壁部２０Ｂには、主鉄筋３８の外周側に該主鉄筋３８に沿って延びる複数の配力鉄筋５２が配置されている。
【００３２】
その際、各帯鉄筋４０、４２および各配力鉄筋４６、４８、５２は、上下方向に１５０ｍｍ程度のピッチで互いに同じ高さ位置に配置されている。
【００３３】
また、各帯鉄筋４２および各配力鉄筋４６、４８、５２は、長短２本の鉄筋が重ね継手により結束された状態で一直線状に延びており、その両端のフックにおいて主鉄筋３４および帯鉄筋４０に係止されている。
【００３４】
この橋脚２０は、所定高（具体的には６ｍ程度）の施工区間（図３において２点鎖線で示す部分）毎に配筋およびコンクリート打設を行うことにより構築されるようになっている。
【００３５】
図４、５および６は、傾斜壁部２０Ｂにおける主鉄筋３４、３６、３８、帯鉄筋４０、４２および配力鉄筋５２の配筋工程を、図２のIII-III 線断面の位置において示す図である。
【００３６】
この配筋工程について説明する前に、この配筋工程に用いられる吊込み治具１００の構成について説明する。
【００３７】
図７は、一施工区間分の本数の配力鉄筋５２が取り付けられた吊込み治具１００を、クレーン等で吊り上げた状態で示す、図４のVII 方向矢視図である。
【００３８】
同図に示すように、この吊込み治具１００は、全く同様の構成を有する４本の多関節鋼材１１０と、これら４本の多関節鋼材１１０を水平方向に所定間隔をおいて吊下げ支持する吊り梁１２０とを備えた構成となっている。その際、各多関節鋼材１１０の上端部には、係止リング１１２を介して吊下げワイヤ１１４が係止されている。また、吊り梁１２０は、水平方向に延びるＨ形鋼で構成されており、その下面の４箇所には、吊下げワイヤ１１４を係止するためのブラケット１２０ａが形成されるとともに、その上面の２箇所には、該吊り梁１２０をクレーン等で吊り上げるワイヤ１０２を係止するためのブラケット１２０ｂが形成されている。
【００３９】
図８（ａ）は、多関節鋼材１１０の構成を示す、図７のVIIIａ部詳細図であり、同図（ｂ）は、そのｂ方向矢視図である。また、図９は、図８（ａ）のIX部詳細図であり、図１０は、図８（ｂ）のＸ部詳細図である。
【００４０】
これらの図に示すように、多関節鋼材１１０は、鉄筋支持部１３０ａを有する複数の支持鋼材１３０が上下方向に直列に配置された状態で互いにピン結合された構成となっている。その際、これら複数の支持鋼材１３０は、背中合わせで交互に配置された複数の山形鋼からなり、その鉄筋支持部１３０ａは、山形鋼の側端面に斜め上方へ向かって開放するように形成された略Ｕ字状の凹部からなっている。その際、各支持鋼材１３０を構成する山形鋼は、その一辺の幅が４０〜５０ｍｍ程度の値に設定されている。
【００４１】
各支持鋼材１３０相互間のピン結合は、該支持鋼材１３０に形成されたボルト挿通孔１３０ｂにボルト１３２を挿通させてナット１３４で締め付けることにより行われている。その際、互いにピン結合された１対の支持鋼材１３０の回動運動を可能とするため、ナット１３４による締付けは適度な締付け力で行われており、また、この回動運動を円滑に行わせるため、両支持鋼材１３０間にはワッシャ１３６が介装されている。
【００４２】
次に、傾斜壁部２０Ｂにおける主鉄筋３４、３６、３８、帯鉄筋４０、４２および配力鉄筋５２の配筋工程について説明する。
【００４３】
この配筋工程においては、まず、図４に示すように、施工済みコンクリート３２の上面に、複数の主鉄筋３４、３６、３８を配置する。その際、これら主鉄筋３４、３６、３８は、施工済みコンクリート３２の上面から上方へ突出している主鉄筋３４、３６、３８に対して、カプラ５０を用いて連結する。
【００４４】
次に、傾斜壁部２０Ｂの外周面近傍に配置された主鉄筋３４に対して、その外周側から一施工区間分の本数の帯鉄筋４０を上下方向に１５０ｍｍ程度の間隔をおいて巻き付けるとともに、傾斜壁部２０Ｂの内周面近傍に配置された複数の主鉄筋３６に対して、その内周側から該主鉄筋３６に沿って一施工区間分の本数の帯鉄筋４２を上下方向に１５０ｍｍ程度の間隔をおいて配置する。
【００４５】
一方、一施工区間分の本数の配力鉄筋５２を、施工完了時の配置（すなわち図３に示す配置）と略同様の配置で、吊込み治具１００に予め取り付けておく。
【００４６】
この吊込み治具１００に対する各配力鉄筋５２の取付けは、図１１（ａ）に示すように、橋脚２０付近の地面２に各多関節鋼材１１０を横向きに配置した状態で行う。このとき、多関節鋼材１１０を構成する各支持鋼材１３０は、その鉄筋支持部１３０ａが斜め上向きに形成された略Ｕ字状の凹部として構成されているので、多関節鋼材１１０を横向きに配置した状態でも、各配力鉄筋５２の取付けを容易に行うことが可能である。その際、この取付作業を一層容易に行えるようにするため、各多関節鋼材１１０と地面２との間に枕材１０４を介装しておく。
【００４７】
このようにして一施工区間分の本数の配力鉄筋５２の取付けが完了した吊込み治具１００をクレーン等で吊り上げると、同図（ｂ）に示すように、各多関節鋼材１１０は、その上端部に位置する支持鋼材１３０から順次起き上がって、その向きが水平方向から鉛直方向に変化する。このとき、各鉄筋支持部１３０ａは、斜め上向きに形成された略Ｕ字状の凹部として構成されているので、各支持鋼材１３０の向きが変化しても、その鉄筋支持部１３０ａから配力鉄筋５２が脱落してしまうことはない。
【００４８】
次に、図４に示すように、一施工区間分の本数の配力鉄筋５２が取り付けられた吊込み治具１００を、クレーン等で吊り上げて傾斜壁部２０Ｂにおける施工区間の上方位置まで移動させた後、これを吊り下ろして、その４本の多関節鋼材１１０を２列で配置された主鉄筋３４と主鉄筋３８との間に挿入することにより、吊込み治具１００の吊込みを行う。
【００４９】
この吊込みの際、図７に示すように、各配力鉄筋４６は、施工完了時よりもその全長を短くした状態で吊込み治具１００に取り付けておく。すなわち、各配力鉄筋４６を構成する２本の鉄筋を施工完了時よりも長い重ね代で結束しておく。そしてこれにより、各配力鉄筋４６を鉛直壁部２０Ａの端部に位置する主鉄筋３４および帯鉄筋４０と干渉させてしまうことなく、吊込みを行うことができるようにしておく。
【００５０】
図５に示すように、２列で配置された主鉄筋３４と主鉄筋３８との間に挿入された各多関節鋼材１１０は、吊込み治具１００を吊り下ろすことによって各列間を下降するが、その際、主鉄筋３４、３８は鉛直方向に対して傾斜壁部２０Ｂの傾斜角度分だけ傾斜していることから、内周側に位置する主鉄筋３８に沿って下降することとなる。
【００５１】
図６に示すように、吊込み治具１００の吊込みは、その各多関節鋼材１１０の下端部が施工済みコンクリート３２の上面近傍に到達する位置まで、吊込み治具１００を吊り下ろすことにより完了するが、この吊込みが完了した吊込み治具１００から、各配力鉄筋５２を取り外して所定位置（すなわち図３に示す位置）に配置する。
【００５２】
同図に示す鉛直断面内においては、吊込み治具１００の吊込みが完了した時点で、各配力鉄筋５２は、すでに施工完了時の配置と略同じ位置に配置される。したがって、この吊込み完了後、各配力鉄筋５２を、主鉄筋３８に当接させるとともに、該配力鉄筋５２を構成する２本の鉄筋の重ね代を短くする方向に移動させて、その両端のフックを鉛直壁部２０Ａの端部に位置する主鉄筋３４および帯鉄筋４０に係止することにより、その配置が完了することとなる。
【００５３】
このようにして一施工区間分の本数の配力鉄筋５２の配置が完了した後、吊込み治具１００を吊り上げて、各多関節鋼材１１０を主鉄筋３４と主鉄筋３８との間から撤去する。
【００５４】
以上詳述したように、本実施形態に係る柱状構造物の構築方法は、施工済みコンクリート３２の上面に複数の主鉄筋３４、３６、３８を配置する一方、一施工区間分の本数の配力鉄筋５２を施工完了時の配置と略同様の配置で吊込み治具１００に取り付けた後、この吊込み治具１００を傾斜壁部２０Ｂの外周面近傍に２列で配置された複数の主鉄筋３４、３８における各列の間に吊り込み、この吊込み治具１００から各配力鉄筋５２を取り外して所定位置に配置するようになっているので、次のような作用効果を得ることができる。
【００５５】
すなわち、吊込み治具１００を上記各列の間に吊り込んだ時点で、一施工区間分の本数の配力鉄筋５２は各々その配置予定位置の近傍に一括して配置されることとなるので、この吊込み治具１００から各配力鉄筋５２を取り外して所定位置に配置する作業は、極めて簡単にこれを行うことができる。しかも、この配置作業は、複数箇所において同時に行うことも可能である。
【００５６】
また、これら各配力鉄筋５２を吊込み治具１００に取り付ける作業については、これを橋脚２０付近の地面２において行うことができるので、その取付作業を効率良く行うことができる。
【００５７】
このように本実施形態によれば、中空構造を有する鉄筋コンクリート製の橋脚２０を構築する工程において、配力鉄筋５２を配置する際の作業効率を高めることができる。しかも、吊込み治具１００は次の施工区間での施工にも転用することができるので、経済性を十分に確保した上で上記作用効果を得ることができる。
【００５８】
また本実施形態においては、吊込み治具１００に対する各配力鉄筋５２の取付けを、該吊込み治具１００を横向きに配置した状態で行うようになっているので、その取付けを組立用足場を用いることなく直接行うことができ、これにより取付作業を一層効率良く行うことができる。
【００５９】
さらに本実施形態においては、吊込み治具１００として、鉄筋支持部１３０ａを有する複数の支持鋼材１３０が上下方向に直列に配置された状態で互いにピン結合されてなる４本の多関節鋼材１１０を用いるようになっているので、次のような作用効果を得ることができる。
【００６０】
すなわち、一施工区間分の本数の配力鉄筋５２の各々を、４本の多関節鋼材１１０において互いに同じ高さ位置に固定された支持鋼材１３０の鉄筋支持部１３０ａに架け渡すことにより、これら各配力鉄筋５２を所定の高さ位置において水平方向に延びるように位置決めした状態で吊込み治具１００に取り付けることができる。その際、各多関節鋼材１１０における各支持鋼材１３０の鉄筋支持部１３０ａの位置は、配力鉄筋５２の施工完了時における高さ配置に対応した位置に設定されているので、吊込み治具１００から各配力鉄筋を取り外して所定位置に配置する作業を容易に行うことができる。また、各配力鉄筋５２を跨ぐようにして複数の幅止め鉄筋４４が配置されるにもかかわらず、吊込み治具１００を吊り上げることにより、その撤去を容易に行うことができる。
【００６１】
また本実施形態においては、吊込み治具１００として、４本の多関節鋼材１１０が水平方向に所定間隔をおいて共通の吊り梁１２０に吊下げ支持されてなる治具を用いているので、これら４本の多関節鋼材１１０を所定の位置関係に維持した状態で一括して吊り下げることができ、これにより４本の多関節鋼材１１０の吊込みを容易に行うことができる。
【００６２】
特に本実施形態においては、鉛直方向に対して傾斜壁部２０Ｂの傾斜角度分だけ傾斜した方向に２列で延びる主鉄筋３４、３８の間の狭い空間に、配力鉄筋５２を配置するようになっているが、吊込み治具１００は、その吊り梁１２０に４本の多関節鋼材１１０が吊下げ支持された構成となっているので、これら各多関節鋼材１１０をそのピン結合部分で適当に回動させることにより、これらに取り付けられた配力鉄筋５２を上記各列の間に吊み込むことができる。
【００６３】
その際、各多関節鋼材１１０を構成する複数の支持鋼材１３０は、背中合わせで交互に配置された複数の山形鋼で構成されており、また、その鉄筋支持部１３０ａは、山形鋼の側端面に斜め上方へ向かって開放するように形成された略Ｕ字状の凹部で構成されているので、簡単かつコンパクトな構成で、各配力鉄筋５２の支持を確実に行うことができる。
【００６４】
しかも、このように各鉄筋支持部１３０ａが斜め上向きに形成された略Ｕ字状の凹部として構成されていることから、本実施形態のように、吊込み治具１００を横向きに配置した状態で、その各多関節鋼材１１０に対する各配力鉄筋５２の取付けを行うようにした場合であっても、多関節鋼材１１０に対する各配力鉄筋５２の取付けを容易に行うことができ、また、吊込み治具１００をクレーン等で吊り上げたときに、各多関節鋼材１１０の支持鋼材１３０の向きが水平方向から鉛直方向に変化するにもかかわらず、その鉄筋支持部１３０ａから配力鉄筋５２が脱落してしまわないようにすることができる。
【００６５】
上記実施形態においては、吊込み治具１００として４本の多関節鋼材１１０を備えたものを使用するものとして説明したが、これ以外の本数の多関節鋼材１１０を備えたものを使用することももちろん可能である。
【００６６】
また、上記実施形態においては、一施工区間分の本数の帯鉄筋４０、４２の配置が完了した後に、吊込み治具１００の吊込みを行うものとして説明したが、これら帯鉄筋４０、４２を配置する作業と並行して吊込み治具１００の吊込みを行うようにすることも可能である。
【００６７】
さらに、上記実施形態においては、鉛直方向に対して傾斜した方向に延びるように配置された主鉄筋３４、３８の間の狭い空間に、配力鉄筋５２を配置する場合について説明したが、これら主鉄筋３４、３８が鉛直方向に延びるように配置されている場合においても、本実施形態と同様の構成を採用することにより本実施形態と同様の作用効果を得ることができる。
【００６８】
ところで、上記実施形態において使用した吊込み治具１００は、上記実施形態のように中空構造を有する鉄筋コンクリート製の橋脚２０を構築する際の配力鉄筋５２等の吊込みに特に適しているが、これ以外にも、所定間隔をおいて２列で配置された略鉛直方向に延びる複数の鉄筋における上記各列の間に、水平方向に延びる複数の鉄筋を吊り込む場合一般において、この吊込み治具１００を使用することが可能である。
【図面の簡単な説明】
【００６９】
【図１】本願発明の一実施形態に係る柱状構造物の構築方法の対象となる橋脚を備えた橋梁を示す図であって、同図（ａ）は側面図、同図（ｂ）はそのｂ方向矢視図
【図２】上記橋脚のコンクリート内部における配筋構造を示す、図１（ｂ）のII-II 線断面詳細図
【図３】図２のIII-III 線断面詳細図
【図４】上記橋脚の傾斜壁部における主鉄筋、帯鉄筋および配力鉄筋の配筋工程を、図２のIII-III 線断面の位置において示す図（その１）
【図５】上記配筋工程を示す、図４と同様の工程図（その２）
【図６】上記配筋工程を示す、図４と同様の工程図（その３）
【図７】一施工区間分の本数の配力鉄筋が取り付けられた吊込み治具を、クレーン等で吊り上げた状態で示す、図４のVII 方向矢視図
【図８】上記吊込み治具を構成する多関節鋼材を示す図であって、同図（ａ）は図７のVIIIａ部詳細図、同図（ｂ）は、そのｂ方向矢視図
【図９】図８（ａ）のIX部詳細図
【図１０】図８（ｂ）のＸ部詳細図
【図１１】上記吊込み治具に対する配力鉄筋の取付けおよび該吊込み治具の吊上げの様子を示す側断面図
【符号の説明】
【００７０】
２  地面
１０  橋梁
２０  橋脚
２０Ａ  鉛直壁部
２０Ｂ  傾斜壁部
２２  大口径深礎
２４  橋桁
２６  主塔
２８  斜材
３２  コンクリート
３２ａ  外周面
３２ｂ  内周面
３４、３６、３８  主鉄筋
４０、４２  帯鉄筋
４４  幅止め鉄筋
４６、４８、５２  配力鉄筋
５０  カプラ
１００  吊込み治具
１０２  ワイヤ
１０４  枕材
１１０  多関節鋼材
１１２  係止リング
１１４  吊下げワイヤ
１２０  吊り梁
１２０ａ、１２０ｂ  ブラケット
１３０ａ  鉄筋支持部
１３０ｂ  ボルト挿通孔
１３０  支持鋼材
１３２  ボルト
１３４  ナット
１３６  ワッシャ
【図１】
2006057317.tif 000003
【図２】
2006057317.tif 000004
【図３】
2006057317.tif 000005
【図４】
2006057317.tif 000006
【図５】
2006057317.tif 000007
【図６】
2006057317.tif 000008
【図７】
2006057317.tif 000009
【図８】
2006057317.tif 000010
【図９】
2006057317.tif 000011
【図１０】
2006057317.tif 000012
【図１１】
2006057317.tif 000013